Podtech/llm-jp-corpus-v4-ja_patent huggingface dataset:
【手続補正書】
【提出日】平成19年2月14日(2007.2.14)
【手続補正１】
【補正対象書類名】明細書
【補正対象項目名】特許請求の範囲
【補正方法】変更
【補正の内容】
【特許請求の範囲】
【請求項１】
アクリロニトリル及びメタクリロニトリルからなる群より選択される不飽和モノニトリルの製造方法であって、
不飽和モノニトリル含有反応器流出物を第１カラムに移して、ここで反応器流出物を第１水性流で冷却し、
冷却された不飽和モノニトリル含有流出物を第２カラムに移して、ここで冷却された流出物を第２水性流と接触させて第２水性流に不飽和モノニトリルを吸着させ、
不飽和モノニトリルを含む第２水性流を第２カラムから、粗不飽和モノニトリルを第２水性流から分離するための第１蒸留塔に移し、
分離された粗不飽和モノニトリルを第２蒸留塔に移して、粗モノニトリルから少なくとも幾らかの不純物を取り除き、
部分的に精製された粗不飽和モノニトリルを第３蒸留塔に移して、さらに粗不飽和モノニトリルを精製し、
精製された不飽和モノニトリルを副流として第３蒸留塔から回収し、
蒸気、蒸留水及びこれらの混合物からなる群より選択される形態の水約100〜2000ppmを第３蒸留塔から得られる塔底流に導入し、
第３蒸留塔から得られた塔底流の少なくとも一部を第３蒸留塔の底部に再循環させることを含む方法。
【請求項２】
請求項１に記載の方法であって、蒸気、蒸留水及びこれらの混合物からなる群より選択される形態の水を500〜1000ppmの範囲で、塔底流に導入する方法。
【請求項３】
請求項１に記載の方法であって、さらに、再沸騰器を介して、第３蒸留塔に塔底流を再循環させることを含む方法。
【請求項４】
請求項３に記載の方法であって、再沸騰器に入る前に、蒸気、蒸留水及びこれらの混合物からなる群より選択される形態の水を塔底流に添加することを特徴とする方法。
【請求項５】
請求項３に記載の方法であって、蒸気、蒸留水及びこれらの混合物からなる群より選択される形態の水を再沸騰器に直的添加することを特徴とする方法。
【請求項６】
請求項３に記載の方法であって、塔底流が再沸騰器から出た後に、蒸気、蒸留水及びこれらの混合物からなる群より選択される形態の水を塔底流に添加することを特徴とする方法。
【請求項７】
請求項１に記載の方法であって、ガス状反応器流出物を、アクリロニトリルを生成するためのプロパン及びプロピレンからなる群より選択される炭化水素と、アンモニア及び酸素とのアンモ酸化から得ることを特徴とする方法。
【請求項８】
請求項１に記載の方法であって、ガス状反応器流出物を、流動床反応器内で、流動床触媒と接触させながら、プロパン及びプロピレンからなる群より選択される炭化水素と、アンモニア及び空気とのアンモ酸化から得ることを特徴とする方法。
【請求項９】
請求項１に記載の方法であって、ガス状反応器流出物を、メタクリロニトリルを生成するためのイソブチレン、アンモニア及び酸素のアンモ酸化から得ることを特徴とする方法。
【請求項１０】
請求項１に記載の方法であって、ガス状反応器流出物を、流動床反応器内で、流動床触媒と接触させながら、イソブチレン、アンモニア及び空気の反応により得ることを特徴とする方法。
【請求項１１】
アクリロニトリル及びメタクリロニトリルからなる群より選択される不飽和モノニトリルの製造方法であって、
不飽和モノニトリル含有反応器流出物を第１カラムに移し、ここで反応器流出物を第１水性流で冷却し、
冷却されたモノニトリルを含む流出物を第２カラムに移し、ここで冷却された流出物を第２水性流と接触させてモノニトリルを第２水性流に吸着させ、
モノニトリル含有第２水性流を第２カラムから、第２水性流から粗モノニトリルを分離するための第１蒸留塔に移し、
分離された粗モノニトリルを第２蒸留塔に移して粗モノニトリルから少なくともいくらかの不純物を取り除き、
部分的に精製されたモノニトリルを第３蒸留塔に移してさらにモノニトリルを精製し、
精製されたモノニトリルを含む副流を第３蒸留塔から回収し、
第３蒸留塔から得られた塔底流の少なくとも一部を第３蒸留塔の底部に再循環させ、蒸気、蒸留水及びこれらの混合物からなる群より選択される形態の水約100〜約2000ppmを、第３蒸留塔にモノニトリル含有副流が位置づけられるポイントの下方で直接導入する、工程を含む方法。
【請求項１２】
請求項１１に記載の方法であって、蒸気、蒸留水及びこれらの混合物からなる群より選択される形態の水を500〜1000ppmの範囲で導入することを特徴とする方法。
【請求項１３】
請求項１１に記載の方法であって、ガス状反応器流出物は、アクリロニトリルを生成するためのプロパン及びプロピレンからなる群より選択される炭化水素と、アンモニア及び酸素とのアンモ酸化から得られることを特徴とする方法。
【請求項１４】
請求項１３に記載の方法であって、ガス状反応器流出物は、流動床反応器内で、流動床触媒と接触しながら、プロパン及びプロピレンからなる群より選択される炭化水素と、アンモニア及び空気との反応により得られることを特徴とする方法。
【請求項１５】
請求項１１に記載の方法であって、ガス状反応器流出物は、メタクリロニトリルを生成するためのイソブチレン、アンモニア及び酸素のアンモ酸化から得られることを特徴とする方法。
【請求項１６】
請求項１５に記載の方法であって、ガス状反応器流出物は、流動床反応器内で、流動床触媒と接触しながら、イソブチレン、アンモニア及び空気の反応により得られることを特徴とする方法。
【請求項１７】
アクリロニトリル及びメタクリロニトリルからなる群より選択される不飽和モノニトリルの製造方法であって、
触媒の存在下、反応帯域内で、プロパン、プロピレン及びイソブチレンからなる群より選択される炭化水素とアンモニア及び酸素とを反応させて対応するモノニトリルを生成し、
対応するモノニトリルを反応帯域から回収し、
回収されたモノニトリルを一連の蒸留塔内で蒸留してモノニトリルからほぼすべての不純物を取り除き、
精製されたモノニトリルを副流として最終蒸留塔から回収し、
蒸気、蒸留水及びこれらの混合物からなる群より選択される形態での水約100〜約2000ppmを精製モノニトリルを含む副流が位置づけられる最終蒸留塔内のポイントの下方で最終蒸留塔に直接導入する、工程を含む方法。
【請求項１８】
アクリロニトリル及びメタクリロニトリルからなる群より選択される不飽和モノニトリルの製造方法であって、
反応帯域において、プロパン、プロピレン及びイソブチレンからなる群より選択される炭化水素とアンモニア及び酸素とを触媒の存在下で反応させて対応するモノニトリルを生成させ、
対応するモノニトリルを反応帯域から回収し、
回収されたモノニトリルを一連の蒸留塔内で蒸留して、モノニトリルから実質的にすべての不純物を取り除き、
精製モノニトリルを副流として最終蒸留塔から回収し、
蒸気、蒸留水及びこれらの混合物からなる群より選択される形態の水約100〜約2000ppmを最終蒸留塔から得られた塔底流に導入し、
最終蒸留塔から得られた塔底流の少なくとも一部を最終蒸留塔の底部に再循環させる、工程を含む方法。
【手続補正書】
【提出日】平成19年3月20日(2007.3.20)
【手続補正１】
【補正対象書類名】明細書
【補正対象項目名】特許請求の範囲
【補正方法】変更
【補正の内容】
【特許請求の範囲】
【請求項１】  癌で苦しむ患者を処置するための組成物であって、該組成物はテモゾロミド含み、該組成物は、周期的投薬スケジュールの少なくとも２回のサイクルの間投与するのに適しており、ここで各サイクルは、５〜２５日間の投薬期間および続く５〜１４日間の休止期間を含み、該投薬期間において、テモゾロミドを含む該組成物は、４０〜１５０ｍｇ／ｍ2／日の用量で毎日投与され、該休止期間において、テモゾロミドを含む該組成物は投与されない、組成物。
【請求項２】  前記休止期間が５〜１０日間である、請求項１に記載の組成物。
【請求項３】  前記日用量が７５〜１２５ｍｇ／ｍ2／日である、請求項２に記載の組成物。
【請求項４】  前記休止期間が１週間である、請求項１に記載の組成物。
【請求項５】  前記日用量が７５〜１２５ｍｇ／ｍ2／日である、請求項４に記載の組成物。
【請求項６】  前記投薬期間が１週間、２週間、または３週間である、請求項１に記載の組成物。
【請求項７】  前記休止期間が１週間である、請求項６に記載の組成物。
【請求項８】  前記投薬期間が１週間である、請求項７に記載の組成物。
【請求項９】  前記日用量が７５〜１２５ｍｇ／ｍ2／日である、請求項８に記載の組成物。
【請求項１０】  前記投薬期間が３週間である、請求項７に記載の組成物。
【請求項１１】  前記日用量が７５〜１２５ｍｇ／ｍ2／日である、請求項１０に記載の組成物。
【請求項１２】  テモゾロミドを投与するための医用キットであって、以下：  （ａ）周期的投薬スケジュールの少なくとも２回のサイクルの間、癌に苦し む患者にテモゾロミドを投与するための印刷された使用説明書であって、ここで各サイクルが、５〜２５日間の投薬期間および続く５〜１４日間の休止期間を含み、該投薬期間においてテモゾロミドは、４０〜１５０ｍｇ／ｍ2／日の用量で毎日投与され、該休止期間において、テモゾロミドが投与されない、使用説明書；および
（ｂ）少なくとも１回のサイクルのための用量単位でのテモゾロミドの供給であって、ここで各用量単位が、５〜２５０ｍｇのテモゾロミドおよび薬学的に受容可能なキャリアを含む、供給、
を含む、キット。
【請求項１３】  前記指示された休止期間が、５〜１０日間である、請求項１２に記載の医用キット。
【請求項１４】  前記指示された日用量が、７５〜１２５ｍｇ／ｍ2／日である、請求項１３に記載の医用キット。
【請求項１５】  前記指示された休止期間が、１週間である、請求項１２に記載の医用キット。
【請求項１６】  前記指示された日用量が、７５〜１２５ｍｇ／ｍ2／日である、請求項１５に記載の医用キット。
【請求項１７】  前記指示された投薬期間が、１週間、２週間、または３週間である、請求項１５に記載の医用キット。
【請求項１８】  前記指示された投薬期間が、１週間であり、そして前記指示された日用量が、７５〜１２５ｍｇ／ｍ2／日である、請求項１５に記載の医用キット。
【請求項１９】  前記指示された投薬期間が、３週間であり、そして前記指示された日用量が、７５〜１２５ｍｇ／ｍ2／日である、請求項１５に記載の医用キット。
【手続補正書】
【提出日】平成19年3月30日(2007.3.30)
【手続補正１】
【補正対象書類名】明細書
【補正対象項目名】特許請求の範囲
【補正方法】変更
【補正の内容】
【特許請求の範囲】
【請求項１】  ＣＮＳのニューロトロフィンレベルを増加させるためのＧＡＢＡＢ受容体アンタゴニストの使用。
【請求項２】  ＣＮＳのニューロトロフィンレベル増加に反応性の状態を治療するためのＧＡＢＡＢ受容体アンタゴニストの使用。
【請求項３】  神経変性疾患の処置のためのＧＡＢＡＢ受容体アンタゴニストの使用。
【請求項４】  パーキンソン病、筋萎縮性側索硬化症およびストレス誘導神経変性疾患の処置のためのＧＡＢＡＢ受容体アンタゴニストの使用。
【請求項５】  ＣＮＳ組織移植後の免疫反応を抑制するためのＧＡＢＡＢ受容体アンタゴニストの使用。
【請求項６】  ＣＮＳのニューロトロフィンレベル増加に反応性の薬学的組成物を製造するためのＧＡＢＡＢ受容体アンタゴニストの使用。
【請求項７】  ＮＧＦおよびＢＤＮＦを増加させるための、請求項１から６のいずれか一項記載の使用。
【請求項８】  ＣＮＳのニューロトロフィンレベル増加に反応性の状態を治療する際に用いるための、ＧＡＢＡＢ受容体アンタゴニストを少なくとも一つの薬学的担体または希釈剤と共に含む薬学的組成物。
【請求項９】  そのような治療を必要とする対象者において、ＣＮＳのニューロトロフィンレベル増加をさせる方法であって、前記対象者に治療上有効な量のＧＡＢＡＢ受容体アンタゴニストを投与することを含む方法。
【請求項１０】  そのような治療を必要とする対象者において、ＣＮＳのニューロトロフィンレベル増加に反応性の状態を治療する方法であって、前記対象者に治療上有効な量のＧＡＢＡＢ受容体アンタゴニストを投与することを含む方法。
【請求項１１】  そのような治療を必要とする対象者において、神経変性疾患またはＣＮＳ組織移植後の免疫反応を抑制するための方法であって、前記対象者に治療上有効な量のＧＡＢＡＢ受容体アンタゴニストを投与することを含む方法。
【手続補正２】
【補正対象書類名】明細書
【補正対象項目名】００１８
【補正方法】変更
【補正の内容】
【００１８】
したがって、ＧＡＢＡＢ受容体リガンドはＣＮＳにおけるニューロトロフィンレベルの増加に反応性のいかなる状態の治療においても有用である。特にＧＡＢＡＢ受容体アンタゴニストはＮＧＦおよびＢＤＮＦの増加に反応性の状態の治療において有用であり、ＧＡＢＡＢ受容体アゴニストはＮＴ−３の増加に反応性の状態の治療において有用である。
【手続補正書】
【提出日】平成19年3月28日(2007.3.28)
【手続補正１】
【補正対象書類名】明細書
【補正対象項目名】特許請求の範囲
【補正方法】変更
【補正の内容】
【特許請求の範囲】
【請求項１】  増殖性疾患の処置のための、式
【化１】
2002540152.tif 000001
（式中、
Ｒ1は水素、クロロ及びニトロから成る群から選択され、
Ｒ2は水素、低級アルキル、低級アルコキシ、クロロ、ブロモ、ヨード及びフルオロから成る群から選択され、そして
Ｒ3及びＲ4は独立して水素、低級アルキル、ニトロ、クロロ、ブロモ、ヨード及びフルオロから成る群から選択され、
ここで、Ｒ1又はＲ2の少なくとも一方は水素であることを条件とする）
の化合物。
【請求項２】  式
【化２】
2002540152.tif 000002
（式中、
Ｒ1は水素、クロロ及びニトロから成る群から選択され、
Ｒ2は水素、低級アルキル、低級アルコキシ、クロロ、ブロモ、ヨード及びフルオロから成る群から選択され、
Ｒ3及びＲ4は独立して水素、低級アルキル、ニトロ、クロロ、ブロモ、ヨード及びフルオロから成る群から選択され、
ここで、
（ａ）Ｒ1又はＲ2の少なくとも一方は水素であり、
（ｂ）
（ｉ）Ｒ3及びＲ4が両方水素であるとき、
（ｉｉ）Ｒ3がクロロでありＲ4が水素であるとき、又は
（ｉｉｉ）Ｒ4がクロロでありＲ3が水素であるとき、
Ｒ1及びＲ2は両方水素であってはならず、及び
（ｃ）Ｒ1が水素でありＲ2がメチルであるとき、
（ｉ）Ｒ3及びＲ4の両方が水素であってはならず、
（ｉｉ）Ｒ4が水素であるときＲ3はクロロであってはならず、そして
（ｉｉｉ）Ｒ3が水素であるときＲ4はクロロであってはならないことを条件とする）
の化合物。
【請求項３】  Ｒ2は水素、低級アルキル、低級アルコキシ、クロロ、ブロモ及びフルオロから成る群から選択され、
Ｒ3及びＲ4は独立して水素、低級アルキル、ニトロ、クロロ、ブロモ及びフルオロからなる群から選択されることを特徴とする請求項１又は２に記載の化合物。
【請求項４】  Ｒ2、Ｒ3及びＲ4のうち少なくとも１つはヨードであることを特徴とする請求項１又は２に記載の化合物。
【請求項５】  Ｒ1は水素であることを特徴とする請求項１〜４のいずれかの項に記載の化合物。
【請求項６】  Ｒ3は水素であり、そして
Ｒ2及びＲ4は独立してクロロ、フルオロ、ヨード及びブロモから成る群から選択されることを特徴とする請求項５に記載の化合物。
【請求項７】  Ｒ2及びＲ4は独立してクロロ、フルオロ及びブロモから成る群から選択されることを特徴とする請求項６に記載の化合物。
【請求項８】  Ｚ−４−クロロスチリル４−クロロベンジルスルホン、Ｚ−４−クロロスチリル４−フルオロベンジルスルホン、Ｚ−４−フルオロスチリル４−クロロベンジルスルホン、Ｚ−４−フルオロスチル４−フルオロベンジルスルホン、Ｚ−４−ブロモスチリル４−クロロベンジルスルホン、及びＺ−４−ブロモスチリル４−フルオロベンジルスルホンから成る群から選択されることを特徴とする請求項７に記載の化合物。
【請求項９】  医薬上許容しうるキャリアと、請求項１〜８のいずれかの項に記載の化合物と、を含むことを特徴とする医薬組成物。
【請求項１０】  前記増殖性疾患は癌であることを特徴とする請求項１に記載の化合物。
【請求項１１】  前記癌は、卵巣、胸部、前立腺、肺、腎臓及び脳の癌から成る群から選択されるか、又は前記癌は白血病であることを特徴とする請求項１０に記載の化合物。
【請求項１２】  式
【化３】
2002540152.tif 000003
（式中、
Ｒ1は水素、クロロ及びニトロから成る群から選択され、
Ｒ2は水素、低級アルキル、低級アルコキシ、クロロ、ブロモ、ヨード及びフルオロから成る群から選択され、
Ｒ3及びＲ4は独立して水素、低級アルキル、ニトロ、クロロ、ブロモ、ヨード及びフルオロから成る群から選択され、
ここで、
（ａ）Ｒ1又はＲ2の少なくとも一方は水素であり、
（ｂ）
（ｉ）Ｒ3及びＲ4が両方水素であるとき、
（ｉｉ）Ｒ3がクロロでありＲ4が水素であるとき、又は
（ｉｉｉ）Ｒ4がクロロでありＲ3が水素であるとき、
Ｒ1及びＲ2は両方水素であってはならず、及び
（ｃ）Ｒ1が水素でありＲ2がメチルであるとき、
（ｉ）Ｒ3及びＲ4の両方が水素であってはならず、
（ｉｉ）Ｒ4が水素であるときＲ3はクロロであってはならず、そして
（ｉｉｉ）Ｒ3が水素であるときＲ4はクロロであってはならないことを条件とする）
の化合物。
【手続補正書】
【提出日】平成19年3月23日(2007.3.23)
【手続補正１】
【補正対象書類名】明細書
【補正対象項目名】特許請求の範囲
【補正方法】変更
【補正の内容】
【特許請求の範囲】
【請求項１】  式（Ｉ）：
【化１】
2002540197.tif 000001
［式中、
Ｒ1は、水素、メチルまたはトリフルオロメチルを示し；
Ｒ2は、基Ｒ10−（Ｘ）n−（ＡＬＫ）−を示し、ここで、
Ｒ10は、水素、Ｃ1〜Ｃ6アルキル、Ｃ2〜Ｃ6アルケニル、Ｃ2〜Ｃ6アルキニル、シクロアルキル、アリールまたはヘテロシクリル基を示し、そのいずれも非置換であるか、または（Ｃ1〜Ｃ6）アルキル、（Ｃ1〜Ｃ6）アルコキシ、ヒドロキシ、メルカプト、（Ｃ1〜Ｃ6）アルキルチオ、アミノ、ハロ（フッ素、塩素、臭素及びヨウ素含む）、トリフルオロメチル、シアノ、ニトロ、−ＣＯＯＨ、−ＣＯＮＨ2、−ＣＯＯＲA、−ＮＨＣＯＲA、−ＣＯＮＨＲA、−ＮＨＲA、−ＮＲAＲBまたは−ＣＯＮＲAＲB［ここで、ＲAおよびＲBは、独立して（Ｃ1〜Ｃ6）アルキル基である］で置換されていてもよく、かつ
ＡＬＫは、直鎖状または分岐状の二価のＣ1〜Ｃ6アルキレン、Ｃ2〜Ｃ6アルケニレン、Ｃ2〜Ｃ6アルキニレン基を示し、１以上の隣合っていない−ＮＨ−、−Ｏ−または−Ｓ−連結を介在してもよく、
Ｘは、−ＮＨ−、−Ｏ−または−Ｓ−を示し、かつ
ｎは、０または１であり；かつ
Ｒ3およびＲ4は、それらがそれぞれ結合した炭素原子と共に、（ｉ）（Ｃ1〜Ｃ6）アルキル、ベンジル、（Ｃ1〜Ｃ6）アルコキシ、フェノキシ、ヒドロキシ、メルカプト、（Ｃ1〜Ｃ6）アルキルチオ、アミノ、ハロ（フッ素、塩素、臭素及びヨウ素含む）、トリフルオロメチル、ニトロ、−ＣＯＯＨ、−ＣＯＮＨ2、−ＣＯＲA、−ＣＯＯＲA、−ＮＨＣＯＲA、−ＣＯＮＨＲA、−ＮＨＲA、−ＮＲAＲBまたは−ＣＯＮＲAＲB［ここで、ＲAおよびＲBは、独立して（Ｃ1〜Ｃ6）アルキル基である］から独立して選択される４つまでの置換基で任意に置換されていてもよい、５〜８の原子の飽和の炭素環式もしくはヘテロシクリル環を形成するか、または（ｉｉ）式（ＩＩＩ）：
【化２】
2002540197.tif 000002
［式中、Ｒ8は水素またはＣ1〜Ｃ4アルキル、シクロアルキル、フェニルもしくはベンジル基であり、Ｒ9は水素またはＣ1〜Ｃ4アルキル、フェニルもしくはベンジル基であり、またはＲ8およびＲ9は一緒になって二価の−（ＣＨ2）p−［ここで、ｐは３または４である］を表わす］の環を形成する］
の化合物または医薬的もしくは獣医学的に許容されるその塩、水和物あるいは溶媒和物を含む、ヒトおよびヒトでない哺乳動物での細菌感染の治療用医薬組成物。
【請求項２】  Ｒ1が水素である、請求項１に記載の医薬組成物。
【請求項３】  Ｒ2が、
Ｃ1〜Ｃ6アルキル、Ｃ3〜Ｃ6アルケニルもしくはＣ3〜Ｃ6アルキニル；
フェニル環に任意に置換された、フェニル（Ｃ1〜Ｃ6アルキル）−、フェニル（Ｃ3〜Ｃ6アルケニル）−もしくはフェニル（Ｃ3〜Ｃ6アルキニル）−；
シクロアルキル環に任意に置換された、シクロアルキル（Ｃ1〜Ｃ6アルキル）−、シクロアルキル（Ｃ3〜Ｃ6アルケニル）−もしくはシクロアルキル（Ｃ3〜Ｃ6アルキニル）−；
ヘテロシクリル環に任意に置換された、ヘテロシクリル（Ｃ1〜Ｃ6アルキル）−、ヘテロシクリル（Ｃ3〜Ｃ6アルケニル）−もしくはヘテロシクリル（Ｃ3〜Ｃ6アルキニル）−；または
末端のフェニルもしくはヘテロアリール環に任意に置換された、４−フェニルフェニル（Ｃ1〜Ｃ6アルキル）−、４−フェニルフェニル（Ｃ3〜Ｃ6アルケニル）−、４−フェニルフェニル（Ｃ3〜Ｃ6アルキニル）−、４−ヘテロアリールフェニル（Ｃ1〜Ｃ6アルキル）−、４−ヘテロアリールフェニル（Ｃ3〜Ｃ6アルケニル）−、４−ヘテロアリールフェニル（Ｃ3〜Ｃ6アルキニル）−
である請求項１または２に記載の医薬組成物。
【請求項４】  Ｒ2が、メチル、エチル、ｎ−およびイソ−プロピル、ｎ−およびイソ−ブチル、ｎ−ペンチル、イソ−ペンチル  ３−メチル−ブタ−１−イル、ｎ−ヘキシル、ｎ−ヘプチル、ｎ−アセチル、ｎ−オクチル、メチルスルファニルエチル、エチルスルファニルメチル、２−メトキシエチル、２−エトキシエチル、２−エトキシメチル、３−ヒドロキシプロピル、アリル、３−フェニルプロプ−３−エン−１−イル、プロプ−２−イン−１−イル、３−フェニルプロプ−２−イン−１−イル、３−（２−クロロフェニル）プロプ−２−イン−１−イル、ブタ−２−イン−１−イル、シクロペンチル、シクロヘキシル、シクロペンチルメチル、シクロペンチルエチル、シクロペンチルプロピル、シクロヘキシルメチル、シクロヘキシルエチル、シクロヘキシルプロピル、フラン−２−イルメチル、フラン−３−メチル、テトラヒドロフラン−２−イルメチル、テトラヒドロフラン−２−イルメチル、ピペリジニルメチル、フェニルプロピル、４−クロロフェニルプロピル、４−メチルフェニルプロピル、４−メトキシフェニルプロピル、ベンジル、４−クロロベンジル、４−メチルベンジルまたは４−メトキシベンジルである請求項１または２に記載の医薬組成物。
【請求項５】  Ｒ2が、ｎ−プロピル、ｎ−ブチル、ｎ−ペンチル、ベンジルまたはシクロペンチルメチルである請求項１または２に記載の医薬組成物。
【請求項６】  Ｒ3とＲ4により形成される環が式（ＩＩＩ）［ここで、Ｒ8は、水素、メチル、エチル、ｎ−プロピル、シクロペンチル、フェニルまたはベンジルであり、Ｒ9は、水素、イソブチル、フェニルまたはベンジルである］である、請求項１に記載の医薬組成物。
【手続補正書】
【提出日】平成19年2月28日(2007.2.28)
【手続補正１】
【補正対象書類名】明細書
【補正対象項目名】特許請求の範囲
【補正方法】変更
【補正の内容】
【特許請求の範囲】
【請求項１】  遊離形態または塩形態にある下記式のエナンチオマー。
【化１】
2002540194.tif 000001
【請求項２】  メタノールにおいてαＤ（５８９ｎｍのＮａＤ）の負の旋光度を有する、請求項１に記載される式Ｉのエナンチオマー。
【請求項３】  それぞれが遊離形態または塩形態にある請求項１に記載される式Ｉのエナンチオマーを製造する方法であって、それにより、式Ｉのエナンチオマー混合物が、遊離形態または塩形態のそれぞれの形態で、有機溶媒または有機溶媒混合物を用いたキラルな定常相でのカラムクロマトグラフィーを使用して分離され、前記方法に従って単離された所望するエナンチオマーまたは得られた式Ｉの遊離エナンチオマーが塩に変換されるか、あるいは前記方法に従って得られた式Ｉのエナンチオマーの塩が式Ｉの遊離化合物または別の塩に変換される方法。
【請求項４】  遊離形態または農薬に許容され得る塩の形態にある式Ｉの請求項１の実質的に純粋なエナンチオマーを有効成分として含有し、かつ補助剤を含有する殺虫剤。
【請求項５】  請求項４に記載される組成物を害虫またはその生育地に適用することを含む、非ヒト動物における害虫の駆除方法。
【請求項６】  ダニ（Ａｃａｒｉｎａ）目の昆虫および生物を駆除するための請求項５に記載の方法。
【請求項７】  補助剤を含有し、そして前記有効成分を前記補助剤と十分に混合および／または粉砕することを含む、請求項４に記載される組成物の調製方法。
【請求項８】  請求項４に記載される組成物を調製するための、遊離形態または農薬に許容され得る塩の形態のいずれかにある請求項１に記載される式Ｉのエナンチオマーの使用。
【請求項９】  非ヒト動物において害虫を駆除するための請求項８に記載される組成物の使用。
【請求項１０】  植物繁殖物を保護するための請求項９に記載の使用。
【請求項１１】  植物繁殖物を保護するための請求項５に記載の方法であって、前記繁殖物の処置または前記繁殖物の栽培場所の処置を含む方法。
【請求項１２】  請求項１１に記載される方法に従って処理された植物繁殖物。
【請求項１３】  ヒトまたは動物における体外寄生虫または体内寄生虫を駆除するための組成物であって、請求項１に記載される実質的に純粋なエナンチオマーと生理学的に受容可能な補助剤とを含む組成物。
【請求項１４】  非ヒト動物における体外寄生虫または体内寄生虫を駆除するための方法における、請求項１に記載される実質的に純粋なエナンチオマーの使用。
【手続補正書】
【提出日】平成19年3月15日(2007.3.15)
【手続補正１】
【補正対象書類名】明細書
【補正対象項目名】特許請求の範囲
【補正方法】変更
【補正の内容】
【特許請求の範囲】
【請求項１】  哺乳動物における血漿漏出を低減または阻害するための組成物であって、ＴＩＥ２レセプターアクチベーターを含む、組成物。
【請求項２】  前記哺乳動物がヒトである、請求項１に記載の組成物。
【請求項３】  前記ＴＩＥ２レセプターアクチベーターが、Ａｎｇ１、またはＴＩＥ２レセプターを活性化し得る、該Ａｎｇ１のフラグメントもしくは誘導体を含むポリペプチドである、請求項１または２に記載の組成物。
【請求項４】  前記ＴＩＥ２レセプターアクチベーターが、活性化抗体、またはＴＩＥ２レセプターを活性化し得る、該活性化抗体のフラグメントもしくは誘導体を含むポリペプチドである、請求項１または２に記載の組成物。
【請求項５】  前記ＴＩＥ２レセプターアクチベーターが、ＴＩＥ２レセプターを活性化し得る低分子である、請求項１または２に記載の組成物。
【請求項６】  哺乳動物における血漿漏出を低減または阻害するための組成物であって、抗Ａｎｇ−２中和抗体を含む、組成物。
【請求項７】  前記哺乳動物がヒトである、請求項６に記載の組成物。
【請求項８】  前記抗Ａｎｇ−２中和抗体がモノクローナル抗体である、請求項６または７に記載の組成物。
【請求項９】  前記モノクローナル抗体が、完全にヒトのモノクローナル抗体である、請求項８に記載の組成物。
【請求項１０】  前記抗Ａｎｇ−２中和抗体がポリクローナル抗血清である、請求項６または７に記載の組成物。
【手続補正書】
【提出日】平成19年3月20日(2007.3.20)
【手続補正１】
【補正対象書類名】明細書
【補正対象項目名】特許請求の範囲
【補正方法】変更
【補正の内容】
【特許請求の範囲】
【請求項１】神経突起を発生させるための、ＲＡＲβ２および／またはそのアゴニストを含む医薬組成物。
【請求項２】前記アゴニストがレチノイン酸（ＲＡ）および／またはＣＤ２０１９である、請求項１に記載のＲＡＲβ２および／またはそのアゴニストを含む医薬組成物。
【請求項３】神経学的障害の治療のための、ＲＡＲβ２および／またはそのアゴニストを含む医薬組成物。
【請求項４】前記アゴニストがレチノイン酸（ＲＡ）および／またはＣＤ２０１９である、請求項３に記載のＲＡＲβ２および／またはそのアゴニストを含む医薬組成物。
【請求項５】前記神経学的障害が神経学的損傷を含む、請求項３に記載のＲＡＲβ２および／またはそのアゴニストを含む医薬組成物。
【請求項６】神経学的障害の治療のための、ＲＡＲβ２発現系を含む医薬組成物。
【請求項７】被験体内で神経突起を発生させるための、ＲＡＲβ２の少なくとも一部の発現を誘導することができる核酸構築物を含む医薬。
【請求項８】ＲＡＲβ２アゴニストをさらに含む請求項７に記載の医薬。
【請求項９】前記ＲＡＲβ２アゴニストがＲＡおよび／またはＣＤ２０１９である請求項８に記載の医薬。
【請求項１０】被験体内で神経突起を発生させるために細胞を処理する方法であって、被験体から取り出した細胞にＲＡＲβ２の少なくとも一部の発現を誘導することができる核酸構築物を導入するステップを含む方法。
【請求項１１】細胞をＲＡＲβ２アゴニストに曝露するステップをさらに含む請求項１０に記載の方法。
【請求項１２】前記ＲＡＲβ２アゴニストがＲＡおよび／またはＣＤ２０１９である請求項１１に記載の方法。
【請求項１３】薬学的に許容可能なキャリア、希釈剤、または賦形剤を有する混合物中にＲＡＲβ２および／またはアゴニストを含む、神経突起発生に使用される医薬組成物。
【手続補正書】
【提出日】平成19年3月30日(2007.3.30)
【手続補正１】
【補正対象書類名】明細書
【補正対象項目名】特許請求の範囲
【補正方法】変更
【補正の内容】
【特許請求の範囲】
【請求項１】  レクチンを含む、Ｃ線維ニューロン活性の調節剤。
【請求項２】  前記レクチンがガラクトシル残基に結合する、請求項１に記載の調節剤。
【請求項３】  前記レクチンがグルコシル残基に結合する、請求項１に記載の調節剤。
【請求項４】  請求項１から３のいずれかに記載の調節剤に含まれるレクチンをコードする核酸配列を含む、Ｃ線維ニューロン活性の調節剤。
【請求項５】  ペプチドまたはタンパク質にカップリングした第１のレクチンを含む結合体、あるいは、該結合体をコードする核酸配列を含む、Ｃ線維ニューロン活性の調節剤であって、該ペプチドまたはタンパク質が、クロストリジウムニューロトキシン酵素活性を含まない、調節剤。
【請求項６】  ペプチドまたはタンパク質にカップリングした第１のレクチンを含む結合体であって、該第１のレクチンがヒトに対して非内因性であり、そして該ペプチドまたはタンパク質が、クロストリジウムニューロトキシン酵素活性を含まない、結合体。
【請求項７】  前記ペプチドまたはタンパク質が、第２のレクチンである、請求項６に記載の結合体。
【請求項８】  前記第１および第２のレクチンが異なる、請求項７に記載の結合体。
【請求項９】  前記第１のレクチンが、ガラクトシル残基に結合する、請求項６から８のいずれかに記載の結合体。
【請求項１０】  前記第１のレクチンが、グルコシル残基に結合する、請求項６から８のいずれかに記載の結合体。
【請求項１１】  前記第１のレクチンが、ガラクトシル残基に結合し、そして前記第２のレクチンが、グルコシル残基に結合する、請求項８に記載の結合体。
【請求項１２】  前記ペプチドまたはタンパク質が、エンドペプチダーゼ、または酵素活性のないクロストリジウムニューロトキシンである、請求項６に記載の結合体。
【請求項１３】  請求項６から１２のいずれかに記載の結合体であって、前記第１のレクチンおよび／または存在するならば前記第２のレクチンが、レクチン誘導体であり、該誘導体が、炭水化物基を除去するが該誘導体がＣ線維に結合する能力を維持するように改変されている、結合体。
【請求項１４】  請求項６から１３のいずれかに記載の結合体をコードする核酸配列。
【請求項１５】  請求項６から１３のいずれかに記載の結合体、あるいは請求項１４に記載の核酸配列を含む、Ｃ線維ニューロン活性の調節剤。
【請求項１６】  Ｃ線維活性の阻害のための、請求項１から５または１５のいずれかに記載の調節剤。
【請求項１７】  Ｃ線維活性の刺激のための、請求項１から５または１５のいずれかに記載の調節剤。
【請求項１８】  疼痛、乾癬、炎症、粘液過剰分泌、鼻炎、紅斑、過敏性腸症候群、頭痛、喘息、および関節炎から選択される疾患または症状の治療のための、請求項１から５または１５から１７のいずれかに記載の調節剤。
【請求項１９】  前記第１のレクチンおよび前記ペプチドまたはタンパク質を、必要に応じてリンカーを介して、一緒にカップリングする工程を含む、請求項６から１３のいずれかに記載の結合体を調製する方法。
【請求項２０】  請求項６から１３のいずれかに記載の結合体を調製する方法であって、請求項１４に記載の核酸配列を宿主細胞で発現させる工程を含み、該核酸配列が、前記結合体の前記第１のレクチンと前記ペプチドまたはタンパク質との間にリンカー分子を提供するために請求項１４に記載の核酸配列内に位置するリンカー核酸配列を必要に応じて含む、方法。
【請求項２１】  レクチンおよびペプチドまたはタンパク質を含む薬学的組成物であって、該ペプチドまたはタンパク質が、エンドペプチダーゼ、または酵素活性のないクロストリジウムニューロトキシンである、薬学的組成物。
【請求項２２】  前記ペプチドまたはタンパク質が、クロストリジウムニューロトキシンのＬＨＮフラグメントである、請求項２１に記載の薬学的組成物。
【請求項２３】  Ｃ線維活性の調節によって、Ｃ線維ニューロン活性の阻害または刺激から生じる疾患または症状を治療するための、請求項２１または２２に記載の薬学的組成物。
【請求項２４】  疼痛、乾癬、炎症、粘液過剰分泌、鼻炎、紅斑、過敏性腸症候群、頭痛、喘息、および関節炎から選択される疾患または症状の治療のための、請求項２３に記載の薬学的組成物。
【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
デング１、デング２、デング３、デング４から成る群から選択した２種類以上の弱毒化デングウイルスを、生理学的に許容できる賦形剤中に含有する免疫原性組成物。
【請求項２】
免疫反応を高める免疫増強剤をさらに含む請求項１記載の免疫原性組成物。
【請求項３】
弱毒化ウイルスの投与量が１０2〜１０6ＰＦＵである請求項１記載の免疫原性組成物。
【請求項４】
生理学的に許容できる担体中にデング１、デング２、デング３、及びデング４から成る群から選択した２種類以上の弱毒化デングウイルスの免疫学的に充分な量をヒトに投与するステップを備えるデングウイルス特異的免疫反応を活性化する方法。
【請求項５】
弱毒化ウイルスを非経口的に投与する請求項４記載の方法。
【請求項６】
弱毒化ウイルスを鼻腔内に投与する請求項４記載の方法。
【請求項７】
デング１、デング２、デング３、及びデング４から成る群から選択したデングウイルス血清型の、任意の組み合わせから成る多価生弱毒化デングウイルスワクチン。
【請求項８】
デングウイルス１がＡＴＣＣ  Ｎｏ．ＶＲ−２６４８の４５ＡＺ５  ＰＤＫ２０である請求項７記載のワクチン。
【請求項９】
デングウイルス２がＡＴＣＣ  Ｎｏ．ＶＲ−２６５３のＳ１６８０３  ＰＤＫ５０である請求項７記載のワクチン。
【請求項１０】
デングウイルス３がＡＴＣＣ  Ｎｏ．ＶＲ−２６４７のＣＨ５３８９  ＰＤＫ２０である請求項７記載のワクチン。
【請求項１１】
デングウイルス４がＡＴＣＣ  Ｎｏ．ＶＲ−２６５２の３４１７５０  ＰＤＫ２０である請求項７記載のワクチン。
【請求項１２】
デングウイルス１がＡＴＣＣ  Ｎｏ．ＶＲ−２６４８の４５ＡＺ５  ＰＤＫ２０、デングウイルス２がＡＴＣＣ  Ｎｏ．ＶＲ−２６５３のＳ１６８０３  ＰＤＫ５０、デングウイルス３がＡＴＣＣ  Ｎｏ．ＶＲ−２６４７のＣＨ５３８９  ＰＤＫ２０、デングウイルス４がＡＴＣＣ  Ｎｏ．ＶＲ−２６５２の３４１７５０  ＰＤＫ２０である請求項７記載のワクチン。
【請求項１３】
デングウイルスを脊椎動物の細胞で生産する請求項７記載のデングウイルスワクチン。
【請求項１４】
細胞がベロ細胞である請求項１３記載のデングウイルスワクチン。
【請求項１５】
デング１ウイルスが１０2〜１０7ｐｆｕ／ｍｌ、デング２ウイルスが１０2〜１０7ｐｆｕ／ｍｌ、デング３ウイルスが１０2〜１０7ｐｆｕ／ｍｌ、デング４ウイルスが１０2〜１０7ｐｆｕ／ｍｌの量で存在する請求項７記載のデングウイルスワクチン。
【請求項１６】
ワクチンを皮下に投与する請求項１５記載のデングウイルスワクチン。
【請求項１７】
イヌ腎臓細胞で２７回継代されたデング１（ＤＥＮ−１）ウィルス、イヌ腎臓細胞で５０回継代されたデング２（ＤＥＮ−２）ウィルス、イヌ腎臓細胞で２０回継代されたデング３（ＤＥＮ−３）ウィルス、イヌ腎臓細胞で６回継代されたデング４（ＤＥＮ−４）ウィルス、および生理学上許容できる賦形剤から成る群から選択した、２種類以上の弱毒化デングウィルスを含有する免疫原性組成物。
【請求項１８】
イヌ腎臓細胞で２７回継代されたデング１（ＤＥＮ−１）ウィルス、イヌ腎臓細胞で５０回継代されたデング２（ＤＥＮ−２）ウィルス、イヌ腎臓細胞で２０回継代されたデング３（ＤＥＮ−３）ウィルス、イヌ腎臓細胞で６回継代されたデング４（ＤＥＮ−４）ウィルス、および生理学上許容できる賦形剤から成る群から選択したデングウィルス血清型の、任意の組み合わせを含む、多価生弱毒化デングウィルスワクチン。  
【請求項１９】
ＤＥＮ−１  ４５ＡＺ５  ＰＤＫ−２７株の配列を含むデング１（ＤＥＮ−１）ウィルス、ＤＥＮ−２  Ｓ１６８０３  ＰＤＫ−５０株の配列を含むデング２（ＤＥＮ−２）ウィルス、ＤＥＮ−３  ＣＨ５３４８９  ＰＤＫ−２０株の配列を含むデング３（ＤＥＮ−３）ウィルス、およびＤＥＮ−４  ３４１７５０  ＰＤＫ−６配列の配列を含むデング４（ＤＥＮ−４）ウィルス、および生理学上許容できる賦形剤から成る群から選択した、２種類以上の弱毒化デングウィルスを含む免疫原性組成物。
【請求項２０】
ＤＥＮ−１  ４５ＡＺ５  ＰＤＫ−２７株の配列を含むデング１（ＤＥＮ−１）ウィルス、ＤＥＮ−２  Ｓ１６８０３  ＰＤＫ−５０株の配列を含むデング２（ＤＥＮ−２）ウィルス、ＤＥＮ−３  ＣＨ５３４８９  ＰＤＫ−２０株の配列を含むデング３（ＤＥＮ−３）ウィルス、およびＤＥＮ−４  ３４１７５０株のＰＤＫ−６の配列を含むデング熱−４（ＤＥＮ−４）ウィルスから成る群から選択した、デングウィルス血清型の任意の組み合わせを含む、多価生弱毒化デングウィルスワクチン。
【請求項２１】
イヌ腎臓細胞で２０回継代されたデング１（ＤＥＮ−１）ウィルス、イヌ腎臓細胞で５０回継代されたデング２（ＤＥＮ−２）ウィルス、イヌ腎臓細胞で２０回継代されたデング３（ＤＥＮ−３）ウィルス、イヌ腎臓細胞で６回継代されたデング４（ＤＥＮ−４）ウィルス、および生理学上許容できる賦形剤から成る群から選択した、２種類以上の弱毒化デングウィルスを含有する免疫原性組成物。
【請求項２２】
イヌ腎臓細胞で２０回継代されたデング１（ＤＥＮ−１）ウィルス、イヌ腎臓細胞で５０回継代されたデング２（ＤＥＮ−２）ウィルス、イヌ腎臓細胞で２０回継代されたデング３（ＤＥＮ−３）ウィルス、イヌ腎臓細胞で６回継代されたデング４（ＤＥＮ−４）ウィルス、および生理学上許容できる賦形剤から成る群から選択した、デングウィルス血清型の任意の組み合わせを含む、多価生弱毒化デングウィルスワクチン。
【請求項２３】
ＤＥＮ−１  ４５ＡＺ５  ＰＤＫ−２７株の配列を含むデング１（ＤＥＮ−１）ウィルス、ＤＥＮ−２  Ｓ１６８０３  ＰＤＫ−５０株の配列を含むデング２（ＤＥＮ−２）ウィルス、ＤＥＮ−３  ＣＨ５３４８９  ＰＤＫ−２０株の配列を含むデング３（ＤＥＮ−３）ウィルス、ＤＥＮ−４  ３４１７５０  ＰＤＫ−６株の配列を含むデング４（ＤＥＮ−４）ウィルス、および生理学上許容できる賦形剤から成る群から選択した、２種類以上の弱毒化デングウィルスを含む免疫原性組成物。
【請求項２４】
ＤＥＮ−１  ４５ＡＺ５  ＰＤＫ−２０株の配列を含むデング（ＤＥＮ−１）ウィルス、ＤＥＮ−２  Ｓ１６８０３  ＰＤＫ−５０株の配列を含むを持っているデング熱−２（ＤＥＮ−２）ウィルス、ＤＥＮ−３  ＣＨ５３４８９  ＰＤＫ−２０株の配列を含むデング熱−３（ＤＥＮ−３）ウィルス、およびＤＥＮ−４  ３４１７５０  ＰＤＫ−６株の配列を含むデング熱−４（ＤＥＮ−４）ウィルスから成る群から選択した、デングウィルス血清型の任意の組み合わせを含む、多価生弱毒化デングウィルスワクチン。
【手続補正書】
【提出日】平成19年3月22日(2007.3.22)
【手続補正１】
【補正対象書類名】明細書
【補正対象項目名】特許請求の範囲
【補正方法】変更
【補正の内容】
【特許請求の範囲】  
【請求項１】  免疫細胞集団を増加させるための組成物であって、該組成物が、１６α−ブロモエピアンドロステロンヘミ水和物、または以下の構造
【化１】
2002540119.tif 000001
を有する化合物を含み、
ここで、β−配置のＲ１およびＲ４が、独立して、−ＯＨ、エステルまたはエーテルであり；
Ｒ２が、−Ｈ、−ＯＨ、エステルまたはエーテルであり；
Ｒ３が、−Ｈ、−ＯＨ、ハロゲン、エステルまたはエーテルであり；
α−配置のＲ４が、−Ｈまたは−ＣＣＨであるか、両方のＲ４で、＝Ｏであり；そして
Ｒ６が、−Ｈまたは−ＣＨ３である、
組成物。
【請求項２】  請求項１に記載の組成物であって、前記化合物が、１６α−ブロモエピアンドロステロンヘミ水和物または１６α−ブロモエピアンドロステロンである、組成物。
【請求項３】  請求項１に記載の組成物であって、前記化合物が、以下の構造
【化２】
2002540119.tif 000002
を有する、組成物。
【請求項４】  請求項３に記載の組成物であって、Ｒ１およびＲ４が、−ＯＨである、組成物。
【請求項５】  １６α−ブロモエピアンドロステロンヘミ水和物。
【請求項６】  以下の式
【化３】
2002540119.tif 000003
を有する化合物であって、ここで、β−配置のＲ１およびＲ４が、独立して、−ＯＨ、エステルまたはエーテルであり；
Ｒ２が、−ＯＨ、エステルまたはエーテルであり；
Ｒ３が、−ＯＨ、ハロゲン、エステルまたはエーテルであり；
α−配置のＲ４が、−Ｈまたは−ＣＣＨであり；そして
Ｒ６が、−Ｈまたは−ＣＨ３である、
化合物。
【請求項７】  ＨＩＶの処置または予防のための化合物を含む組成物であって、ここで、該化合物が、以下の構造
【化４】
2002540119.tif 000004
を有し、ここで、β−配置のＲ１およびＲ４が、独立して、−ＯＨ、−ＳＨ、エステルまたはエーテルであり；
Ｒ２が、−ＯＨ、エステルまたはエーテルであり；
Ｒ３が、−Ｈ、−ＯＨ、エステルまたはエーテルであり；
α−配置のＲ４が、−Ｈまたは−ＣＣＨであり；そして
Ｒ６が、−Ｈまたは−ＣＨ３である、
組成物。
【請求項８】  請求項７に記載の組成物であって、前記化合物が、以下の構造
【化５】
2002540119.tif 000005
を有する、組成物。
【請求項９】  請求項８に記載の組成物であって、Ｒ１およびＲ４が、−ＯＨ、である、組成物。
【手続補正書】
【提出日】平成19年1月24日(2007.1.24)
【手続補正１】
【補正対象書類名】明細書
【補正対象項目名】特許請求の範囲
【補正方法】変更
【補正の内容】
【特許請求の範囲】
【請求項１】  胞子虫綱寄生体に対する医薬品を製造するためのMGDG合成酵素の活性阻害剤の使用。
【請求項２】  胞子虫綱寄生体がマラリア原虫、トキソプラズマ及びアイメリアからなる群から選択されることを特徴とする請求項１に記載の使用。
【請求項３】  MGDG合成酵素の活性阻害剤の除草剤としての使用。
【請求項４】  - 試験すべき物質をMGDG合成酵素又は植物から単離されるプラスチド膜とインキュベートし、かつ
- インキュベーション後に、酵素比活性を測定する
ことからなることを特徴とする、胞子虫綱寄生体に対する駆虫剤及び/又は除草剤のスクリーニングならびに選択のための方法。
【請求項５】  MGDG合成酵素が、好ましくは、挿入されたガラクトース/h/タンパク質mgに関し、0.1〜120μmolの初期比活性を有することを特徴とする請求項４に記載の方法。
【請求項６】  MGDG合成酵素/試験すべき物質のインキュベーションが、pHを6〜9に調整した緩衝液を含むインキュベーション媒体中、洗剤、還元剤、ホスファチジルグリセロール及び塩の存在下で行われることを特徴とする請求項４又は請求項５に記載の方法。
【請求項７】  インキュベーション媒体が、好ましくは50 mMのMOPS-NaOH、pH 7.8、4.5 mMのCHAPS、1 mMのDTT、1.3 mMのホスファチジルグリセロール、250 mMのKH2PO4/K2HPO4及び250 mMのKClを含むことを特徴とする請求項６に記載の方法。
【請求項８】  MGDG合成酵素が植物起源であり、精製又は組換えのMGDG合成酵素A及びMGDG合成酵素Bからなる群から選択されることを特徴とする請求項４〜７のいずれか１つに記載の方法。
【請求項９】  胞子虫綱寄生体がマラリア原虫、トキソプラズマ及びアイメリアからなる群から選択されることを特徴とする請求項４〜８のいずれか１つに記載の方法。
【請求項１０】  請求項４〜８のいずれか１つに記載の方法にしたがって選択されるMGDG合成酵素阻害剤の、胞子虫綱寄生体に対する医薬品を製造するための使用。
【請求項１１】  請求項４〜８のいずれか１つに記載の方法で選択されるMGDG合成酵素阻害剤の除草剤としての使用。
【手続補正２】
【補正対象書類名】明細書
【補正対象項目名】０００９
【補正方法】変更
【補正の内容】
【０００９】
さらに、この発明によればMGDG合成酵素は植物起源(特にホウレンソウ、キュウリ又はシロイヌナズナ)であり、精製又は組換えのMGDG合成酵素AならびにMGDG合成酵素Bからなる群から選択される。
この方法によれば、MGDG合成酵素/試験すべき物質のインキュベーションは、pHを6〜9に調整した緩衝液(MOPS-NaOH, Tris-HCl, KH2PO4/K2HPO4, 10〜250 mM CAPS)を含むインキュベーション媒体中、洗剤(3〜6 Mm CHAPS又はLDAO)、還元剤(1-10 mM DTT又はβ-メルカプトエタノール)、ホスファチジルグリセロール(0.1-2mM)及び塩(KCl又はNaCl, 10-300 mM)の存在下で行われる。好ましくは、緩衝液は50 mMのMOPS-NaOH、pH 7.8、4.5 mMのCHAPS、1.3 mMのホスファチジルグリセロール、1 mMのDTT、250 mMのKH2PO4/K2HPO4及び250 mMのKClを含む。
また、この発明によれば、MGDG合成酵素の酵素活性は、Marechelら(J. Biol. Chem., 1994, 269, 5788-5798)に記載される方法にしたがってミセルを構成した後に測定する。
【手続補正書】
【提出日】平成19年1月5日(2007.1.5)
【手続補正１】
【補正対象書類名】明細書
【補正対象項目名】特許請求の範囲
【補正方法】変更
【補正の内容】
【特許請求の範囲】
【請求項１】  ５５重量％以下のＶＯＣを有する、水性またはヒドロアルコール性のヘアスプレー組成物であって、
Ｉ．組成物の１％から４０重量％までの量の水溶性のまたは水分散性の固定性ポリマー、組成物の０．１から１０重量％までの量の中和剤、０．０１％から５重量％までの量の炭化水素に基づく界面活性剤、０．０１％から１０重量％までの塩、０％から９０重量％までのアルコール、および１０％から９８重量％までの水を含む水性またはヒドロアルコール性の非エーロゾルのヘアスプレー組成物、および
ＩＩ．組成物の１％から４０重量％までの量の水溶性のまたは水分散性の固定性ポリマー、組成物の０．１から１０重量％までの量の中和剤、０．０１％から５重量％までの量の炭化水素に基づく界面活性剤、０．０１％から１０重量％までの塩、０％から９０重量％までのアルコール、および１０％から９８重量％までの水、および５％から６０重量％までの液化噴霧ガスを含む水性またはヒドロアルコール性のエーロゾルのヘアスプレー組成物
から成る群から選ばれる組成物。
【請求項２】  ポリマーは分子量が約１０から約１０００キロダルトンの範囲にある請求項１に記載の組成物。
【請求項３】  ポリマーが、アクリル酸エチル、メタクリル酸メチルおよびメタクリル酸のコポリマー；アクリル酸エチル、アクリル酸ｔ−ブチルおよびメタクリル酸のターポリマー；オクチルアクリルアミド、アクリル酸エステルおよびメタクリル酸ブチルアミノエチルのコポリマー；メタクリル酸、アクリル酸ｎ−ブチルおよびメタクリル酸メチルのコポリマー；メタクリル酸、アクリル酸ｎ−ブチルおよびメタクリル酸エチルのコポリマー；アクリル酸ブチル、メタクリル酸メチル、メタクリル酸ヒドロキシエチルおよびメタクリル酸のコポリマー；酢酸ビニル、クロトン酸エステルおよびネオデカン酸ビニルのコポリマー；ビニルメチルエーテルと無水マレイン酸のコポリマーのブチルエステル；ビニルメチルエーテルと無水マレイン酸のコポリマーのエチルエステル；ポリスチレンスルホネートモノマーから成るポリマー；１−ビニル−２−ピロリドンから成るポリマー；酢酸ビニルとビニルピロリドンのコポリマー；ビニルカプロラクタムホモポリマー；硫酸ジエチルと、ビニルピロリドンおよびアミノエチルメタクリル酸ジメチルのコポリマーとの反応によって生成する四級アンモニウムポリマー；およびその混合物；変性されたまたは変性されていないポリウレタンから成る群から選ばれるポリマーである請求項１または請求項２に記載の組成物。
【請求項４】  炭化水素界面活性剤が、ジオクチルスルホコハク酸ナトリウムまたはその酸の形態、ジオクチルスルホコハク酸マグネシウムまたはその酸の形態、ジオクチルスルホコハク酸アンモニウムまたはその酸の形態、ドデシル硫酸ナトリウムまたはその酸の形態、ドデシル硫酸マグネシウムまたはその酸の形態、ドデシル硫酸アンモニウムまたはその酸の形態、ラウレス硫酸ナトリウムまたはその酸の形態、ラウレス硫酸マグネシウムまたはその酸の形態、およびラウレス硫酸アンモニウムまたはその酸の形態から成る群から選ばれるアニオン界面活性剤である請求項１〜３のいずれかに記載の組成物。
【請求項５】  炭化水素界面活性剤が両性イオン界面活性剤のココアミドプロピルベタインである請求項１〜３のいずれかに記載の組成物。
【請求項６】  塩が、安息香酸ナトリウム、安息香酸マグネシウム、酢酸ナトリウム、および酢酸マグネシウムから成る群から選ばれる有機塩である請求項１〜５のいずれかに記載の組成物。
【請求項７】  塩が、塩化ナトリウムおよび塩化マグネシウムから成る群から選ばれる無機塩である請求項１〜５のいずれかに記載の組成物。
【請求項８】  アルコールが、エタノールおよびイソプロパノールから成る群から選ばれる請求項１〜７のいずれかに記載の組成物。
【請求項９】  さらに組成物の０．０１％から５重量％までの量のシリコーンに基づく界面活性剤を含む請求項１〜８のいずれかに記載の組成物。
【請求項１０】  シリコーンに基づく界面活性剤がジメチコーンコポリオールおよびシクロメチコーンから成る群から選ばれる請求項９に記載の組成物。
【請求項１１】  中和剤が、２−アミノ、２−メチル、１−プロパノール、ジメチルステアルアミン、水酸化ナトリウム、および水酸化カリウムから成る群から選ばれる請求項１〜１０のいずれかに記載の組成物。
【請求項１２】  液化噴霧ガスが、ジメチルエーテル、プロパン／ブタン混合物、およびジメチルエーテル／プロパン／ブタン混合物から成る群から選ばれる請求項１〜１１のいずれかに記載の組成物。
【請求項１３】  揮発性エステルが、酢酸メチル、酢酸エチル、酢酸プロピル、または酢酸ブチルである請求項１〜１２のいずれかに記載の組成物。
【請求項１４】  揮発性のケトンがアセトンである請求項１〜１３のいずれかに記載の組成物。
【請求項１５】  さらに約１０％から約９０重量％までの揮発性ケトンを含む請求項１〜１４のいずれかに記載の組成物。
【請求項１６】  さらに約１０％から約９０重量％までの揮発性エステルを含む請求項１〜１５のいずれかに記載の組成物。
【請求項１７】  毛髪を処理する方法であって、前記毛髪を請求項１〜１６のいずれかに記載の組成物と接触させることを包んでなる方法。
【手続補正２】
【補正対象書類名】明細書
【補正対象項目名】０００４
【補正方法】変更
【補正の内容】
【０００４】
米国特許第５，１６４，１７７号は、約２％から約４０％までの量の水溶性または水分散性の固定化樹脂、電解液、約３０％から約９０％までの量の水、０％から約３０％までの量のアルコール、およびエアロゾル組成物とともに、約５％から５０％までの量のジメチルエーテルのような液化噴霧ガスを含んでいるエアロゾルまたは非エアロゾルのヘアスタイリング助剤またはムースの組成物、および方法を開示している。
ＤＥ−Ａ−３８１９６２０は、アニオン性化合物、ノニオン性化合物、カチオン性ポリマー、アルコールおよび中和剤を含むハロゲン化炭化水素を含まない発泡性スタイリング組成物を記載している。